(57)【要約】【課題】  携帯表示機器において、手振れによる表示パネル上の表示の揺れを抑える。【解決手段】水平方向揺れ検出センサ２８が、水平方向の揺れを検出する。垂直方向揺れ検出センサ３０が垂直方向の揺れを検出する。水平アドレス制御回路２２及び垂直アドレス制御回路２４が、表示パネル２０上の有効画像エリアを指定する。制御回路３２は、センサ２８，３０の出力に従い、タイミング発生回路２６により水平アドレス及び垂直アドレスのリセットタイミングを制御することで、画像表示位置を制御する。【選択図】  図１
2008158102.tif 000002
【特許請求の範囲】
【請求項１】
画像を表示する表示装置であって、
有効画像エリアを変更可能な画像表示手段（６）と、
当有効画像表示エリアの水平アドレス及び垂直アドレスを制御するアドレス制御手段（２２，２４）と、
前記表示装置の揺れを検出する揺れ検出手段（２８，３０）と、
当該揺れ検出手段の検出結果に応じて、当該アドレス制御手段により当該有効画像表示エリアの表示位置を変更する制御手段（３２）
とを具備することを特徴とする表示装置。
【請求項２】
当該制御手段は、画面単位で、当該揺れ検出手段の検出結果に応じて、当該アドレス制御手段により当該有効画像表示エリアの表示位置を変更することを特徴とする請求項１に記載の表示装置。
【請求項３】
当該制御手段は、当該揺れ検出手段の検出結果に応じて、当該アドレス制御手段により当該有効画像表示エリアの表示位置を変更した後に、当該有効画像表示エリアの表示位置を初期位置に戻すことを特徴とする請求項１に記載の表示装置。
【請求項４】
当該制御手段は、当該揺れ検出手段の検出結果に応じて、当該画像表示手段で表示される画像の画面単位時間を変更することを特徴とする請求項１に記載の表示装置。
【発明の詳細な説明】
【技術分野】
【０００１】
本発明は、画像を表示する表示装置に関する。
【背景技術】
【０００２】
近年、液晶技術の進歩により、液晶表示デバイスの低価格化が進み、種々の装置で使用されるようになっている。例えば、液晶表示パネルで画像を表示する携帯電話、携帯情報端末（ＰＤＡ）及び携帯ゲーム等が登場している。
【０００３】
この種の携帯機器は、主にユーザが手に持って操作することが多い。そのため、表示画面が手ぶれにより見にくくなる。
【０００４】
また、液晶表示パネルはまた、カーナビゲーションシステムの表示画面としても使用される。車の振動による表示画面のぶれを補正する技術が、特許文献１に記載されている。
【特許文献１】特開２００４−３０１７８９号公報
【発明の開示】
【発明が解決しようとする課題】
【０００５】
手に持って画面を見るような携帯電子機器では、例えば電車に乗っている時などに画面が揺れ、文字や画像が見づらくなる不便さがあった。
【０００６】
本発明は、このような不都合を解消する表示装置を提示することを目的とする。
【課題を解決するための手段】
【０００７】
本発明の表示装置は、画像を表示する表示装置であって、有効画像エリアを変更可能な画像表示手段と、当有効画像表示エリアの水平及び垂直アドレスを制御するアドレス制御手段と、前記表示装置の揺れを検出する揺れ検出手段と、当該揺れ検出手段の検出結果に応じて、当該アドレス制御手段により当該有効画像表示エリアの表示位置を変更する制御手段とを具備することを特徴とする。
【０００８】
制御手段は、画面単位で、揺れ検出手段の検出結果に応じて、アドレス制御手段により当該有効画像表示エリアの表示位置を変更することを特徴とする。
【０００９】
制御手段は、揺れ検出手段の検出結果に応じて、アドレス制御手段により当該有効画像表示エリアの表示位置を変更した後に、有効画像表示エリアの表示位置を初期位置に戻すことを特徴とする。
【００１０】
制御手段は、揺れ検出手段の検出結果に応じて、画像表示手段で表示される画像の画面単位時間を変更することを特徴とする。
【発明の効果】
【００１１】
本発明によれば、携帯機器の表示装置において本体が揺れても表示画面の揺れを抑えることができる。
【発明を実施するための最良の形態】
【００１２】
以下、図面を参照して、本発明の実施例を詳細に説明する。
【実施例１】
【００１３】
図1は、メモリに格納される画像を表示する本発明の一実施例の表示装置の概略構成ブロック図である。
【００１４】
画像メモリ１０には、静止画又は動画が記録されており、メモリインターフェース１２により、画像メモリ１０に記憶される画像を読出すことが出来る。ブランク挿入回路１４は、画像メモリ１０から読み出された画像データの水平部分の切り替わり及び垂直部分の切り替わりに白色又は黒色のブランク信号を挿入する。Ｄ／Ａ変換器１６は、ブランク挿入回路１４からのデジタル画像信号をアナログ画像信号に変換するＤ／Ａ変換器である。レベル変換器１８は、Ｄ／Ａ変換器１６からのアナログ画像信号に、表示パネル６に特有のガンマ補正、反転及びレベル変換等を行う回路である。
【００１５】
水平（Ｈ）アドレス制御回路２２は、表示パネル6の水平方向の画素を指定する水平アドレスを発生する。垂直（Ｖ）アドレス発生回路２４は、表示パネル6の垂直方向の画素を指定する垂直アドレスを発生する。タイミング発生回路２６は、水平アドレス制御回路２２及び垂直アドレス制御回路２４をリセットするタイミング信号、及びアドレスシフトのタイミング信号を発生する。
【００１６】
水平方向揺れセンサ２８は、図示実施例の携帯機器の水平方向の揺れを検出する。垂直方向揺れセンサ３０は、図示実施例の携帯機器の垂直方向の揺れを検出する。揺れセンサ２８，３０は、具体的には、指定方向の加速度を検出する加速度センサからなる。
【００１７】
制御回路３２は、水平方向揺れセンサ２８及び垂直方向揺れセンサ３０の検知結果に従い、メモリインターフェース１２、ブランク挿入回路１４及びタイミング発生回路２６を含む全体を制御する。
【００１８】
図２は、表示パネル２０の画面上のアドレスを示す。一般に水平アドレスは左から右にシフトし、右端まで行くと、垂直アドレスが一つ下がるというような動きで、画面全体がスキャンされる。スキャンエリア内に画像を表示可能であるが、通常は、これより狭い有効画像エリア内に画像が表示される。一般にカラーの表示パネルはＲ，Ｇ及びＢの三色の画素で構成されるが、ここでは理解を容易にするために、色の相違を省略してある。
【００１９】
図３は、Ｄ／Ａ変換器１６の出力信号と、水平アドレス制御回路２２及び垂直アドレス制御回路２４のアドレスリセットのタイミングとの関係を示す。わかり易くする為、ブランク部を白レベル、有効画像部を黒レベルで表記している。図示実施例が揺れていなければ、水平ブランク部（この例では白レベル）の中央付近で水平アドレスがリセットされ、垂直ブランク部（この例では白レベル）の中央付近で垂直アドレスがリセットされる。
【００２０】
図４は、表示装置が、表示画面に向かって右方向に動いた場合の、スキャンエリアと有効画像エリアの関係を示す。図４（Ａ）は、表示装置の初期位置でのスキャンエリアと有効画像エリアの関係を示し、図４（Ｂ）は、表示装置が右に動いたときの、スキャンエリアと有効画像エリアの関係を示す。例えば、表示装置が右に動いた場合、制御回路３２は、水平方向揺れセンサ２８からの検出信号に従い、動いた距離を算出し、動いた方向と距離に応じて水平アドレスのリセットタイミングを変更する。右に動いたのであれば、有効信号に対する水平アドレスのリセットタイミングを遅らせる。これにより、図４（Ｂ）に示すように、表示パネル２０上に表示される画像が、初期位置（図４（Ａ））に対して左に移動する。この移動距離が右に揺れた移動距離と等しければ、表示画像がユーザ又は観察者には止まって見えることになる。更に動き続けていれば、水平アドレスのリセットタイミングを更に遅らせる。
【００２１】
一般に右への揺れが止まった後は左に戻るものであるが、更に右に揺れることも考えられる。左端に張り付かないようにするため、図４（Ａ）に示す初期位置にゆっくり戻すということも有効である。
【００２２】
図５は、表示装置が表示画面に向かって下に縦に揺れる又は移動する場合のスキャンエリアと有効画像エリアの関係を示す。図５（Ａ）は、表示装置の初期位置でのスキャンエリアと有効画像エリアの関係を示し、図５（Ｂ）は、表示装置が下に動いたときの、スキャンエリアと有効画像エリアの関係を示す。
【００２３】
制御回路３２は、垂直方向揺れセンサ３０からの検出信号に従い、動いた距離を算出し、動いた方向と距離に応じて垂直アドレスのリセットタイミングを変更する。下に動いたのであれば、有効画像エリアが表示パネル上の画面上で上に位置するように、有効信号に対する垂直アドレスのリセットタイミングを遅らせる。これにより、図５（Ｂ）に示すように、表示パネル２０上に表示される画像が、初期位置（図５（Ａ））に対して上に移動する。この移動距離が下に動いた距離と等しければ、表示画像がユーザ又は観察者には止まって見えることになる。更に動き続けていれば、垂直アドレスのリセットタイミングを更に遅らせる。
【００２４】
水平方向のみの移動と垂直方向のみの移動の動作例を説明したが、水平と垂直の両方に移動している場合にも、本実施例により、表示画像を動きを抑制できることは明らかである。例えば、揺れを相殺する画像表示位置の制御機構を有しない従来の画像表示装置では、手ブレにより、図６に示すように、同じ画像が異なる位置で重複して表示され。しかし、本実施例では、手ブレに応じて画像表示位置を変更するので、図７に示すように、表示画像が従来例に比べ相対的に安定する。
【００２５】
有効画像エリア内の水平アドレス又は垂直アドレスの途中で揺れ量に応じた表示位置の制御を実行すると、一画面内で画像に歪みが生じる。そのため、一画面内では表示位置を変更せず、有効な一画面表示後に画像表示位置を更新するのが望ましい。
【００２６】
しかし、表示装置の揺れに対して有効画像エリアを変える場合、表示までに時間を要し、揺れのスピードに追従できないという問題も考えられる。この問題は、更新スピード、具体的には、図3の期間Ｔ１，Ｔ２を短縮するのが有効である。そのためには、全体のクロックスピードを早くする必要があり、消費電力が増加する。そこで、水平方向揺れセンサ２８又は垂直方向揺れセンサ３０が所定以上の動きを検出した場合、画像表示位置の変更周期を適応的に変更する。
【００２７】
図８は、一定以上の水平方向の揺れがある場合の垂直走査周期の変化を示す。図８（Ａ）は、揺れが無いときの水平走査周期Ｔ１を示し、同（Ｂ）は、一定以上の揺れがあるときの水平走査周期Ｔ３を示す。Ｔ３＜Ｔ１である。一定以上の揺れがあると、水平走査周期を短くする。揺れが無くなれば周期を元に戻す。
【００２８】
図９は、一定以上の垂直方向の揺れがある場合の垂直走査周期の変化を示す。図９（Ａ）は、揺れが無いときの垂直走査周期Ｔ２を示し、同（Ｂ）は、一定以上の揺れがあるときの垂直走査周期Ｔ４を示す。Ｔ４＜Ｔ２である。一定以上の揺れがあると、垂直走査周期を短くする。揺れが無くなれば周期を元に戻す。
【００２９】
水平走査周期を２段階で切り換えるのではなく、段階的に又は連続的に変更してもよいことは、明らかである。
【００３０】
走査周期を変更する判断、又は走査周期の値の設定は、揺れの移動距離又は揺れのスピードに応じて、行えば良い。表示すべき画像が動画の場合と静止画の場合で、走査周期の変更の程度を変更してもよい。例えば、静止画表示で揺れていなければ、更新もゆっくりで良い。またユーザが自由に設定できても良い。
【００３１】
表示すべき画像が画像メモリ１０から再生される実施例を述べたが、携帯テレビのチューナからの放送信号であっても同様である。
【図面の簡単な説明】
【００３２】
【図１】本発明の一実施例の概略構成ブロック図である。
【図２】表示パネルの有効画像エリアとアドレスを表わす模式図である。
【図３】揺れていない時の画像信号とアドレスの関係を表わす模式図である。
【図４】左に動いた場合の、有効画像エリアの表示位置の変化を示す模式図である。
【図５】下に動いた場合の、有効画像エリアの表示位置の変化を示す模式図である。
【図６】斜めに揺れる場合の、従来例の表示例である。
【図７】斜めに揺れる場合の、本実施例の表示例である。
【図８】一定以上の水平方向の揺れがある場合の垂直走査周期の変化を示す模式である。
【図９】一定以上の垂直方向の揺れがある場合の垂直走査周期の変化を示す模式である。
【符号の説明】
【００３３】
１０  画像メモリ
１２  メモリインターフェース
１４  ブランク挿入回路
１６  Ｄ／Ａ変換器
１８  レベル変換器
２０  表示パネル
２２  水平アドレス制御回路
２４  垂直アドレス制御回路
２６  タイミング発生回路
２８  水平方向揺れセンサ
３０  垂直方向揺れセンサ
３２  制御回路
【図１】
2008158102.tif 000003
【図２】
2008158102.tif 000004
【図３】
2008158102.tif 000005
【図４】
2008158102.tif 000006
【図５】
2008158102.tif 000007
【図６】
2008158102.tif 000008
【図７】
2008158102.tif 000009
【図８】
2008158102.tif 000010
【図９】
2008158102.tif 000011